(57)【要約】【課題】ワイヤハーネス外部からの水がワイヤハーネス内部へ侵入することを防ぎ、止水性を向上させる。【解決手段】ワイヤハーネス１０は、複数の被覆電線Ｗ１を有する電線群Ｗと、各導線端部Ｗ１ａに設けられた端子１１と、各端子１１をキャビティ１３に収容保持するコネクタ１２と、小開口筒部１４ａとラッパ状筒部１４ｂと大開口筒部１４ｃとを有する樹脂成形体であり、大開口筒部１４ｃをコネクタ１２に被着したコネクタカバー１４と、コネクタカバー１４の小開口筒部１４ａから被覆電線Ｗ１の所定長さまでの範囲に帯状シートをスパイラル状に巻き付けてなるシート固定部１５と、を備え、シート固定部１５は、ポリオレフィン系シート１５ａと発泡剤層１５ｂとの２層構造であって、発泡剤層１５ｂを内側にして巻き付けられた状態から加熱され、発泡剤層１５ｂがコネクタカバー１４との間の隙間を埋めて発砲するよう構成した。【選択図】図１
2017084528.tif 000002
【特許請求の範囲】
【請求項１】
絶縁被覆材の端部が皮剥ぎされ導線端部が露出した複数の被覆電線を有する電線群と、
前記各導線端部に設けられた端子と、
複数のキャビティを有し、前記被覆電線の端部が扇形に広げられた状態で前記各端子を前記キャビティに収容保持するコネクタと、
小開口筒部とラッパ状筒部と大開口筒部とを有する樹脂成形体であり、前記小開口筒部に前記電線群の前記扇形に拡がっていない基端部を挿通し、前記大開口筒部を前記コネクタに被着したコネクタカバーと、
前記コネクタカバーの前記小開口筒部から前記被覆電線の所定長さまでの範囲に帯状シートをスパイラル状に巻き付けてなるシート固定部と、を備えたワイヤハーネスにおいて、
前記シート固定部は、帯状のポリオレフィン系シートと前記ポリオレフィン系シートの片面に粘着性と加熱発泡性とを有する発泡剤が塗布積層された発泡剤層との２層構造であって、前記発泡剤層を内側にして巻き付けられた状態から加熱され、前記発泡剤層が前記コネクタカバーとの間の隙間を埋めて発砲していることを特徴とするワイヤハーネス。
【請求項２】
前記ポリオレフィン系シートの加熱前の厚さは、０．３〜１．５ｍｍであることが好ましく、より好ましくは０．５〜１．０ｍｍ程度であることを特徴とする請求項１に記載のワイヤハーネス。
【発明の詳細な説明】
【技術分野】
【０００１】
本発明は、自動車内等において電線の接続に用いられる止水性を有するワイヤハーネスに関する。
【背景技術】
【０００２】
自動車などの車両に搭載されるワイヤハーネスにおいて、電線とその端部に接続されたコネクタとの隙間への外部からの水の浸入を防ぐ防水構造などの保護構造が考案されている。例えば特許文献１には、電線とコネクタとの隙間を粘着テープで覆う構成が開示されている。
【０００３】
特許文献１に記載されたコネクタ付電線１は、絶縁電線９と、絶縁電線９の端部に接続されたコネクタ８と、コネクタ８と絶縁電線９との間の隙間を覆う被覆部材７とを備え、被覆部材７は、テープ状の紫外線硬化樹脂からなる基体と粘着剤との２層構造を有する紫外線硬化粘着テープが、コネクタ８から絶縁電線９に亘る部分に粘着剤を内側にして巻き付けられて硬化した部材からなっている。このようにして電線とコネクタとの隙間からの水の侵入を防止している。
【０００４】
しかし、電線の本数が多くコネクタのサイズが大きいと絶縁電線とコネクタとの接続部分に傾斜ができてしまい、隙間なく被覆部材７で巻き付けることが困難であるという問題があった。
【０００５】
これに対し、従来より電線群とコネクタとの接続部分との傾斜を緩やかにするために、図６に示すコネクタカバーが用いられている。図６に示すコネクタカバーは電線の挿入方向に進むにしたがって幅方向が広がる略台形柱形状であり、端子圧着済みの電線群を挿通した状態でコネクタに端子を挿入し係合するようになっている。そしてコネクタとコネクタカバーを係合させた後にＰＶＣテープ等で巻き付けるようになっている。
【０００６】
コネクタカバーの入口側の径は電線群全体の径とそれほど変わらない径となっているので、コネクタカバーの入口と電線群との接続部分における傾斜は緩やかであり、この部分を隙間なくＰＶＣテープで巻き付けることができる。
【先行技術文献】
【特許文献】
【０００７】
【特許文献１】特開２０１３−１８７００４号公報
【発明の概要】
【発明が解決しようとする課題】
【０００８】
しかしながら、ＰＶＣテープのような粘着テープによってはコネクタカバーとＰＶＣテープとの間の隙間を全く無いものとすることは困難であり、ワイヤハーネス外部からの水の侵入を完全に防止することができなかった。
【０００９】
本発明は、上述のような課題を解決するためになされたもので、ワイヤハーネス外部からの水がワイヤハーネス内部へ侵入することを防ぎ、止水性を向上させることができるワイヤハーネスを提供することを目的とする。
【課題を解決するための手段】
【００１０】
本発明に係るコネクタは、上記目的達成のため絶縁被覆材の端部が皮剥ぎされ導線端部が露出した複数の被覆電線を有する電線群と、前記各導線端部に設けられた端子と、複数のキャビティを有し、前記被覆電線の端部が扇形に広げられた状態で前記各端子を前記キャビティに収容保持するコネクタと、小開口筒部とラッパ状筒部と大開口筒部とを有する樹脂成形体であり、前記小開口筒部に前記電線群の前記扇形に拡がっていない基端部を挿通し、前記大開口筒部を前記コネクタに被着したコネクタカバーと、前記コネクタカバーの前記小開口筒部から前記被覆電線の所定長さまでの範囲に帯状シートをスパイラル状に巻き付けてなるシート固定部と、を備えたワイヤハーネスにおいて、前記シート固定部は、帯状のポリオレフィン系シートと前記ポリオレフィン系シートの片面に粘着性と加熱発泡性とを有する発泡剤が塗布積層された発泡剤層との２層構造であって、前記発泡剤層を内側にして巻き付けられた状態から加熱され、前記発泡剤層が前記コネクタカバーとの間の隙間を埋めて発砲している構成である。
【００１１】
この構成により、本発明に係るワイヤハーネスは、コネクタカバーおよび電線群にスパイラル状に巻き付けられた２層構造のシート固定部における発砲剤層がコネクタカバーとの間の隙間を埋めて発砲するので、コネクタカバーとポリオレフィン系シートとの間の隙間にワイヤハーネスの外部からワイヤハーネス内部に水が浸入することを防止できる。したがって、ワイヤハーネスの止水性を向上させることができる。
【００１２】
また、同様に被覆電線とポリオレフィン系シートとの間の隙間も発砲剤層で埋められるので、コネクタカバーとポリオレフィン系シートとの隙間からの水の侵入も防止できるので止水性を向上させることができる。
【００１３】
また、ポリオレフィン系シートの加熱前の厚さは、０．３〜１．５ｍｍであることが好ましく、さらには０．５〜１．０ｍｍ程度であることが好ましい。
【００１４】
この構成により、巻き付け作業がやりやすく、巻き付け後の発砲作業において、ポリオレフィン系シートが加熱後に好適な厚さに発泡し、隙間を塞いで有効に止水することができる。
【発明の効果】
【００１５】
本発明によれば、ワイヤハーネス外部からの水がワイヤハーネス内部へ侵入することを防ぎ、止水性を向上させることができる。
【図面の簡単な説明】
【００１６】
【図１】本発明の実施の形態に係るワイヤハーネスの縦断面図である。
【図２】本発明の実施の形態に係るシート材の上面図および側面図である。
【図３】本発明の実施の形態に係るワイヤハーネスにシート材を巻き付け始めた状態を示す斜視図である。
【図４】本発明の実施の形態に係るワイヤハーネスにシート材を巻き付けた状態を示す斜視図である。
【図５】本発明の実施の形態に係るワイヤハーネスにシート材を巻き付け加熱した状態を示す斜視図である。
【図６】従来のテープ巻きしたワイヤハーネスを示す斜視図である。
【発明を実施するための形態】
【００１７】
以下、本発明に係るワイヤハーネスの実施の形態について、図面を参照して説明する。
【００１８】
図１は、本発明の第１の実施の形態に係るワイヤハーネスを示す縦断面図である。図１に示すようにワイヤハーネス１０は電線群Ｗと端子１１とコネクタ１２とコネクタカバー１４とシート固定部１５を備えている。
【００１９】
電線群Ｗは複数の被覆電線Ｗ１を有している。被覆電線Ｗ１は、ＰＶＣなどの絶縁被覆材１６の端部が皮剥ぎされ導線端部Ｗ１ａが露出している。導線端部Ｗ１ａには端子１１が圧着されて設けられている。絶縁被覆材１６の端部は例えば長さ１０〜１５ｍｍの端部が皮剥ぎされ、導線が露出する構成である。導線は、径が大きい１本の銅線等であってもよい。また、導線は、アルミニウム線であってもよい。
【００２０】
コネクタ１２は複数のキャビティ１３を有している。キャビティ１３は被覆電線Ｗ１の挿入方向前方側の端部が扇形に広げられた状態で各端子１１を収容保持するようになっている。コネクタ１２は、例えば、ガラス繊維（ＧＦ）や無機フィラー等の充填材を配合して異方性を緩和し、精密成形性と耐熱性に優れるＬＣＰ樹脂（液晶ポリマー）製の射出成形体とすることができ、あるいは、ポリエステル樹脂、ポリアミド、ポリプロピレン、ポリエチレン等の樹脂製であってもよい。また、コネクタ１２は、ＧＦおよび無機フィラーを配合した強化ポリエチレンテレフタレート樹脂の射出成形体とすることができる。
【００２１】
コネクタカバー１４は、図１中の右側から順に小開口筒部１４ａとラッパ状筒部１４ｂと大開口筒部１４ｃとを有する樹脂成形体である。コネクタカバー１４は、小開口筒部１４ａに電線群Ｗの扇形に拡がっていない側の基端部を挿通し、大開口筒部１４ｃをコネクタ１２に被着するようになっている。コネクタカバー１４はポリ塩化ビニル等の合成樹脂から形成される。電線群Ｗの扇形に拡がっていない側の基端部とは、上述した扇形に広げられた被覆電線Ｗ１の挿入方向前方側の端部より後方側の部分を指す。
【００２２】
小開口筒部１４ａは、電線群Ｗを挿入させる開口部となっており、開口部の開口径は電線群Ｗの径より若干大きくなっている。ラッパ状筒部１４ｂは、小開口筒部１４ａに連設され、電線群Ｗの挿入方向前方に行くに従い径が大きくなるラッパ状の筒である。大開口筒部１４ｃは、ラッパ状筒部１４ｂに連設されその開口部の径は入口側の小開口筒部１４ａの径よりも大きくなっている。また大開口筒部１４ｃはコネクタ１２に被着することができるよう、コネクタ１２より一回り大きいサイズとなっている。
【００２３】
シート固定部１５は、コネクタカバー１４の小開口筒部１４ａから被覆電線Ｗの所定長さまでの範囲に帯状シートをスパイラル状に巻き付けて構成される。ここでいう所定長さとは例えば帯状シートを４、５回程度スパイラル状にラップさせて巻き付けた際の電線群Ｗの挿入方向の長さである。
【００２４】
図２（ａ）に示すように、シート固定部１５は、帯状のポリオレフィン系シート１５ａとポリオレフィン系シート１５ａの片面に粘着性と加熱発泡性とを有する発泡剤が塗布積層された発泡剤層１５ｂとの２層構造となっている。図２（ｂ）はポリオレフィン系シート１５ａの裏面を示すが、ポリオレフィン系シート１５ａの裏面全体に発泡剤が塗布されている。ポリオレフィン系シート１５ａには材質としてＰＶＣ、ポリアミド、ポリエステル、ポリプロピレン、ポリエチレン等が用いられている。
【００２５】
発泡剤としては例えばウレタン発泡剤が用いられ、後述する加熱前の状態で発泡剤層１５ｂの厚さは約０．３〜１．５ｍｍであり、より好ましくは約０．５ｍｍ〜１．０ｍｍ程度である。ポリオレフィン系シート１５ａをこのような厚さとするのは、厚くしすぎることで、巻き付け作業の作業性を悪化させるのを防ぐとともに、加熱後の発砲させた際の発泡剤層１５ｂの厚さを好適なものとし、ポリオレフィン系シート１５ａと電線群Ｗとの間の隙間を塞ぎやすくするためである。
【００２６】
ウレタン発泡剤は電線群Ｗに巻き付けられた際に外部からワイヤハーネス１０に加えられる衝撃等を和らげるクッション材としても機能する。本実施の形態では発泡剤としてウレタン発泡剤を用いているが、粘着性と加熱発泡性を有する発泡剤であれば他のものであってもよい。
【００２７】
シート固定部１５は、発泡剤層１５ｂを内側にして巻き付けられた状態から加熱され、発泡剤層１５ｂがコネクタカバー１４との間の隙間を埋めて発砲するようになっている。
【００２８】
次に図３〜図５を用いてポリオレフィン系シート１５ａを巻き付け加熱発泡させるまでの過程について説明する。
【００２９】
まず、図３に示すように、コネクタカバー１４における電線群Ｗの挿入側である小開口筒部１４ａを覆うようにウレタン発泡剤を塗布積層したポリオレフィン系シート１５ａをコネクタカバー１４および電線群Ｗに対してスパイラル状に巻き付け始める。ポリオレフィン系シート１５ａを巻き付ける際は、ウレタン発泡剤を塗布した側の面である発泡剤層１５ｂが内側となるように巻き付けて発砲剤層１５ｂを電線群Ｗに直接密着させる。
【００３０】
ポリオレフィン系シート１５ａは、被覆電線Ｗ１の所定長さまでの範囲にスパイラル状に電線群Ｗに巻き付けられる。ウレタン発泡剤は、粘着性を有しているので粘着剤等を使用することなくポリオレフィン系シート１５ａをコネクタカバーおよび被覆電線Ｗ１に巻き付けた状態で粘着させることができる。
【００３１】
本実施の形態においては、例えば図４に示すようにポリオレフィン系シート１５ａを４、５回程度巻き付けるが、より多くまたは少なくしてもよい。また、本実施の形態においては、ポリオレフィン系シート１５ａの巻き付けは、シート幅の半分がオーバーラップするハーフラップ巻きとしているが、例えばオーバーラップ部分を増やし２/３オーバーラップとしてもよいし、オーバーラップ部分を減らしてもよい。
【００３２】
コネクタカバー１４および電線群Ｗにポリオレフィン系シート１５ａの巻き付けが完了すると、ドライヤー等の加熱手段によりポリオレフィン系シート１５ａを加熱する。図５に示すようにポリオレフィン系シート１５ａを加熱することでウレタン発泡剤が塗布された発泡剤層１５ｂが加熱され発砲する。本実施の形態におけるウレタン発泡剤は８０℃程度まで加熱すると発砲するようになっているが、加熱の程度は必ずしもこれに限られない。
【００３３】
発泡剤層１５ｂは加熱により発砲すると体積が膨張し、発砲前の体積の約２〜３倍程度まで膨張する。発泡剤層１５ｂの発砲により、発泡剤層１５ｂがコネクタカバー１４との間の隙間を埋めるので、コネクタカバー１４とポリオレフィン系シート１５ａとの間の隙間をなくすことができる（図１参照）。これにより、コネクタカバー１４とポリオレフィン系シート１５ａとの間の隙間に、電線群Ｗを伝わる水等のワイヤハーネス１０の外部からの水の浸入を防止できる。
【００３４】
以上のように、本実施の形態に係るワイヤハーネス１０は、絶縁被覆材１６の端部が皮剥ぎされ導線端部Ｗ１ａが露出した複数の被覆電線Ｗ１を有する電線群Ｗと、各導線端部Ｗ１ａに設けられた端子１１と、複数のキャビティ１３を有し、被覆電線Ｗ１の端部が扇形に広げられた状態で各端子１１をキャビティ１３に収容保持するコネクタ１２と、小開口筒部１４ａとラッパ状筒部１４ｂと大開口筒部１４ｃとを有する樹脂成形体であり、小開口筒部１４ａに電線群Ｗの扇形に拡がっていない基端部を挿通し、大開口筒部１４ｃをコネクタ１２に被着したコネクタカバー１４と、コネクタカバー１４の小開口筒部１４ａから被覆電線Ｗ１の所定長さまでの範囲に帯状シートをスパイラル状に巻き付けてなるシート固定部１５と、を備えている。
【００３５】
また、ワイヤハーネス１０のシート固定部１５は、帯状のポリオレフィン系シート１５ａとポリオレフィン系シート１５ａの片面に粘着性と加熱発泡性とを有するウレタン発泡剤が塗布積層された発泡剤層１５ｂとの２層構造であって、発泡剤層１５ｂを内側にして巻き付けられた状態から加熱され、発泡剤層１５ｂがコネクタカバー１４との間の隙間を埋めて発砲している。
【００３６】
この構成により、本実施の形態に係るワイヤハーネス１０は、コネクタカバー１４および電線群Ｗにスパイラル状に巻き付けられた２層構造のシート固定部１５における発砲剤層１５ｂがコネクタカバー１４との間の隙間を埋めて発砲するので、コネクタカバー１４とポリオレフィン系シート１５ａとの間の隙間にワイヤハーネス１０の外部からワイヤハーネス１０内部に水が浸入することを防止できる。したがって、ワイヤハーネス１０の止水性を向上させることができる。
【００３７】
また、同様に被覆電線Ｗ１とポリオレフィン系シート１５ａとの間の隙間も発砲剤層１５ｂで埋められるので、コネクタカバー１４とポリオレフィン系シート１５ａとの隙間からの水の侵入も防止できるので止水性を向上させることができる。
【００３８】
また、ポリオレフィン系シート１５ａの加熱前の厚さは、０．３〜１．５ｍｍであることが好ましく、さらには０．５〜１．０ｍｍ程度であることが好ましい。
【００３９】
この構成により、ポリオレフィン系シート１５ａ巻き付け作業がやりやすく作業性が向上するとともに、巻き付け後に、ポリオレフィン系シート１５ａが加熱後に好適な厚さに発泡し、ポリオレフィン系シート１５ａと電線群Ｗとの間の隙間を塞いで有効に止水することができる。
【００４０】
なお、本発明に係るワイヤハーネスの技術的範囲は、上述した実施の形態に限定されるものではなく、特許請求の範囲に記載した各構成要素の種々の変更を含むものである。
【００４１】
以上説明したように、本発明に係るワイヤハーネスは、ワイヤハーネス外部からの水がワイヤハーネス内部へ侵入することを防ぎ、止水性を向上させることができるという効果を有し、ワイヤハーネス全般に有用である。
【符号の説明】
【００４２】
１０  ワイヤハーネス
１１  端子
１２  コネクタ
１３  キャビティ
１４  コネクタカバー
１４ａ  小開口筒部
１４ｂ  ラッパ状筒部
１４ｃ  大開口筒部
１５  シート固定部
１５ａ  ポリオレフィン系シート
１５ｂ  発砲剤層
１６  絶縁被覆材
Ｗ  電線群
Ｗ１  被覆電線
Ｗ１ａ  導線端部
【図１】
2017084528.tif 000003
【図２】
2017084528.tif 000004
【図３】
2017084528.tif 000005
【図４】
2017084528.tif 000006
【図５】
2017084528.tif 000007
【図６】
2017084528.tif 000008